(57)【要約】【課題】ワークの切り出しをより精度良く行えるようにする。【解決手段】ワイヤソーは、ワイヤ群１２に供給されることにより飛散したスラリを捕集する加工液捕集装置を有する。この装置は、スラリを捕集するための捕集部材１６ａ，１６ｂと、これら捕集部材１６ａ，１６ｂをワイヤ群１２の上方であってその近傍となる高さ位置に配置しかつワイヤ群１２の走行方向に変位可能に支持するガイド軸２２等と、捕集部材１６ａ，１６ｂを駆動する油圧シリンダ２４と、捕集部材１６ａ，１６ｂがワークＷに対して所定の間隔を隔てた位置に配置されるようにワークＷの切り込み送りの位置に応じて前記油圧シリンダ２４の駆動を制御する制御手段（ＮＣ装置４０）と、を備える。【選択図】図１
2010058228.tif 000002
【特許請求の範囲】
【請求項１】
互いに平行に並ぶ複数の切断用ワイヤにより形成されかつワイヤ軸方向に走行するワイヤ群に対して上下方向に幅が変化する断面形状を有するワークを切り込み送りすると共に、この切り込み位置よりもワイヤ走行方向における上流側の位置で当該ワイヤ群に対して加工液を供給するように構成されたワイヤソーに組み込まれ、前記ワイヤ群に供給されることにより飛散した加工液を捕集する加工液捕集装置であって、
前記ワイヤ群による切断中にワークから飛散した前記加工液を捕集可能な形状を有する捕集部材と、
この捕集部材を前記ワイヤ群の上方であってその近傍となる高さ位置に配置しかつ前記ワイヤ走行方向と平行な方向に変位可能に支持する支持手段と、
前記捕集部材を前記ワイヤ走行方向と平行な方向に駆動する駆動手段と、
前記ワイヤ群に対するワークの切り込み送りの位置にかかわらず、当該ワークよりも前記ワイヤ走行方向における上流側の位置であって当該ワークに近接する所定位置に前記捕集部材が位置するように前記ワイヤ群に対するワークの切り込み送りの位置に応じて前記捕集部材を変位させるように前記駆動手段を制御する制御手段と、を備えることを特徴とする加工液捕集装置。
【請求項２】
請求項１に記載の加工液捕集装置において、
前記制御手段は、前記ワイヤ群に対するワークの切り込み送りの位置にかかわらず、前記ワイヤ走行方向においてワークと前記捕集部材とが略一定の間隔で配置されるように前記駆動手段を制御することを特徴とする加工液捕集装置。
【請求項３】
請求項１又は２に記載の加工液捕集装置において、
前記ワイヤ群は、ワイヤ軸方向における一方側から他方側に向かって走行する状態と前記他方側から一方側に向かって走行する状態とに切換えられるものであり、
前記捕集部材として、前記ワイヤ走行方向において前記ワークを挟んだその両側の位置にそれぞれ配置される一対の前記捕集部材を備えていることを特徴とする加工液捕集装置。
【請求項４】
請求項３に記載の加工液捕集装置において、
前記駆動手段は、両捕集部材を互いに逆方向に連動して変位させるように構成されていることを特徴とする加工液捕集装置。
【請求項５】
互いに平行に並ぶ複数の切断用ワイヤにより形成されるワイヤ群と、このワイヤ群をワイヤ軸方向に駆動するワイヤ駆動手段と、ワークを保持するワーク保持部材を有し、このワーク保持部材により保持したワークを前記ワイヤ群に対してその上側から切り込み送りする送り手段と、前記ワイヤ群のうちワークが切り込み送りされる切り込み領域よりもワイヤ軸方向外側に配置され、前記ワイヤ群に対して加工液を供給する加工液供給手段と、前記ワイヤ群による切断中にワークから飛散した加工液を捕集する加工液捕集装置とを備えたワイヤソーであって、前記加工液捕集装置として請求項１乃至４の何れか一項に記載の加工液捕集装置を備えていることを特徴とするワイヤソー。
【発明の詳細な説明】
【技術分野】
【０００１】
本発明は、切断用ワイヤにより構成されたワイヤ群に対して半導体インゴット等のワークを切り込み送りすることにより当該ワークを切断するワイヤソーに適用される加工液捕集装置及び当該装置を備えたワイヤソーに関するものである。
【背景技術】
【０００２】
従来から、ガイドローラ間に切断用ワイヤが巻き掛けられることにより該ワイヤが多数本並んだ状態で張設され、このワイヤ群をその軸方向に高速走行させながら、ワーク保持部に保持されたワークを前記ワイヤ群に対して切り込み送りすることにより、ワークをスライス状に多数毎同時に切り出すようにしたワイヤソーが知られている。
【０００３】
この種のワイヤソーでは、高速走行するワイヤ群に対して遊離砥粒を含むスラリ（加工液）を供給することが行われるが、その際、一旦ワイヤ群に供給されたスラリがワークに沿って舞い上がり（巻き上がり）、これがワークやワイヤ群に再度供給されることが知られており、特に、ワイヤ群とワーク保持部とが接近してくる切り込み送り終期には、ワーク、ワイヤ群及びワーク保持部により囲まれた狭い空間内でスラリが舞い上がることによりワイヤ群やワークにスラリが再供給され易く、これがワイヤ群の振動やスラリの供給過多等、ワークの切り出し精度に悪影響を与える原因の一つとなっている。
【０００４】
そこで、出願人は、特許文献１に開示されるように、ワーク保持部に捕集部材を設け、舞い上がったスラリを回収することにより上記のような不都合を軽減することを考えた。
【特許文献１】特開２００７−２７３７１１号公報
【発明の開示】
【発明が解決しようとする課題】
【０００５】
特許文献１に開示される従来のワイヤソーでは、飛散したスラリを捕集するための捕集部材をワーク保持部に設けているため、切り込み送り終期にスラリを捕集する上では効果的であるが、それ以前の段階では、捕集部材とワイヤ群とが離れているため、切断中にワークから飛散するスラリを捕集することは難しい。
【０００６】
しかし、切り込み送り終期ほど顕著ではないにせよ、実際にはそれ以前の段階（切り込み送り開始〜終期までの間）でも、ワイヤ群に沿ってワーク近傍に運ばれたスラリがワーク側面に沿って舞い上がる等、切断中にワークからスラリが飛散し、切り出し精度に影響を与えることが少なからず認められる。従って、ワーク切断の高精度化の要請に鑑みると、切り込み送り（切断作業）の全工程においてこのようなスラリの飛散による影響を防止できる方が好ましい。
【０００７】
本発明は、上記のような事情に鑑みて成されたものであり、飛散したスラリがワイヤ群やワークに対して再度供給されるという不都合を切り込み送り（切断作業）の全工程に亘って阻止することにより、ワークの切り出しをより精度良く行えるようにすることを目的とする。
【課題を解決するための手段】
【０００８】
上記の課題を解決するために、本発明は、互いに平行に並ぶ複数の切断用ワイヤにより形成されかつワイヤ軸方向に走行するワイヤ群に対して上下方向に幅が変化する断面形状を有するワークを切り込み送りすると共に、この切り込み位置よりもワイヤ走行方向における上流側の位置で当該ワイヤ群に対して加工液を供給するように構成されたワイヤソーに組み込まれ、前記ワイヤ群に供給されることにより飛散した加工液を捕集する加工液捕集装置であって、前記ワイヤ群による切断中にワークから飛散した前記加工液を捕集可能な形状を有する捕集部材と、この捕集部材を前記ワイヤ群の上方であってその近傍となる高さ位置に配置しかつ前記ワイヤ走行方向と平行な方向に変位可能に支持する支持手段と、前記捕集部材を前記ワイヤ走行方向と平行な方向に駆動する駆動手段と、前記ワイヤ群に対するワークの切り込み送りの位置にかかわらず、当該ワークよりも前記ワイヤ走行方向における上流側の位置であって当該ワークに近接する所定位置に前記捕集部材が位置するように前記ワイヤ群に対するワークの切り込み送りの位置に応じて前記捕集部材を変位させるように前記駆動手段を制御する制御手段と、を備えるものである。
【０００９】
そして、本発明に係るワイヤソーは、互いに平行に並ぶ複数の切断用ワイヤにより形成されるワイヤ群と、このワイヤ群をワイヤ軸方向に駆動するワイヤ駆動手段と、ワークを保持するワーク保持部材を有し、このワーク保持部材により保持したワークを前記ワイヤ群に対してその上側から切り込み送りする送り手段と、前記ワイヤ群のうちワークが切り込み送りされる切り込み領域よりもワイヤ軸方向外側に配置され、前記ワイヤ群に対して加工液を供給する加工液供給手段と、前記ワイヤ群による切断中にワークから飛散した加工液を捕集する加工液捕集装置とを備えたワイヤソーであって、前記加工液捕集装置として上記のような加工液捕集装置を備えているものである。
【００１０】
このような本発明にかかる加工液捕集装置が組み込まれたワイヤソーによれば、飛散した加工液を捕集可能な形状を有する捕集部材を、ワイヤ群に対するワークの切り込み送りの位置にかかわらず、ワークよりもワイヤ走行方向における上流側の位置であって当該ワークに近接する所定位置に配置することができる。従って、ワイヤ群に対するワークの切り込み送りの位置にかかわらず、ワークの側面に沿って舞い上がる等、ワイヤ群による切断中にワークから飛散する加工液を良好に捕集することが可能となる。
【００１１】
上記のような加工液捕集装置において、前記制御手段は、前記ワイヤ群に対するワークの切り込み送りの位置にかかわらず、前記ワイヤ走行方向においてワークと前記捕集部材とが略一定の間隔で配置されるように前記駆動手段を制御するものであるのが好適である。
【００１２】
この構成によれば、切り込み送りの全工程に亘って一定の間隔でワークに対して捕集部材を配置できるので、ワークの断面形状にかかわらず加工液の捕集効果を良好に享受することが可能となる。
【００１３】
より具体的な構成として、ワイヤ軸方向における一方側から他方側に向かって走行する状態と前記他方側から一方側に向かって走行する状態とに前記ワイヤ群の走行状態が切換えられるものでは、前記捕集部材として、前記ワイヤ走行方向において前記ワークを挟んだその両側の位置にそれぞれ配置される一対の捕集部材が備えられる。
【００１４】
この構成によれば、ワイヤ群の何れの走行状態においても良好に加工液を捕集することが可能となる。
【００１５】
この場合、前記駆動手段は、両捕集部材を互いに逆方向に連動して変位させるように構成されているのが好適である。
【００１６】
つまり、ワイヤソーで切断される主なワークは半導体インゴット等、断面形状が左右対称（ワイヤ走行方向におけるワーク中心を通りかつワイヤ軸方向と直交する線分に対して対称）なものが多い。従って、両捕集部材を互いに逆方向に連動して変位させるように上記駆動手段を構成すれば、簡単な制御で各捕集部材をワークに対してバランス良く配置することが可能となり、ワイヤ群の走行方向にかかわらず均一な捕集効果を享受することが可能となる。
【発明の効果】
【００１７】
本発明によると、切断中にワークから飛散する加工液をワイヤ群に対するワークの切り込み送りの位置にかかわらず良好に捕集することが可能となる。従って、飛散した加工液がワイヤ群やワークに再度供給されるという不都合を切断作業の全工程に亘って良好に阻止することができ、その結果、ワークの切り出しをより精度良く行えるようになる。
【発明を実施するための最良の形態】
【００１８】
本発明の好ましい実施の形態について図面を用いて説明する。
【００１９】
図１は、本発明に係るワイヤソー（本発明にかかる加工液捕集装置が適用されたワイヤソー）の全体構成を模式的に示している。
【００２０】
この図に示すようにワイヤソーは、所定の間隔を隔てて平行に配置される一対のガイドローラ１０Ａ，１０Ｂを有している。これらガイドローラ１０Ａ，１０Ｂの外周面上にはローラ軸方向（同図では紙面と直交する方向；以下、前後方向という）に並ぶ多数本の溝が形成され、これらの溝に嵌め込むようにして切断用ワイヤ１１が両ガイドローラ１０Ａ，１０Ｂ間に巻回されている。これにより当該ガイドローラ１０Ａ，１０Ｂの間に前後方向に切断用ワイヤ１１が複数本平行に並んだ状態のワイヤ群１２が形成されている。
【００２１】
切断用ワイヤ１１の両端は、それぞれ図外の繰出し・巻取りボビンにそれぞれ巻き付けられている。そして、各ボビンおよび前記ガイドローラ１０Ａ（又は１０Ｂ）が図外の駆動モータ（ワイヤ駆動手段）により駆動されるとともにその回転方向が正転、逆転に切換えられることにより、一方側のボビンから切断用ワイヤ１１が繰出されて他方側のボビンに巻き取られる状態と、その逆の状態とに切換わるように構成されている。これによりガイドローラ１０Ａ，１０Ｂ間においてワイヤ群１２がワイヤ軸方向の一方側から他方側に走行する状態と他方側から一方側に走行する走行状態とに切換わるようになっている。
【００２２】
ワイヤ群１２のうちワークＷが切り込み送りされる領域（作業領域Ｅと呼ぶ）を挟んでその両側（切断用ワイヤ１１の走行方向における作業領域Ｅの上流側および下流側）であってワイヤ群１２に近接したその上方位置には、図１及び図２に示すように、それぞれワイヤ群１２に対してスラリ（水溶性あるいは油性の分散液に加工用砥粒を混合した加工液）を供給するためのノズル部材１４ａ，１４ｂ（加工液供給手段）が配設されている。これらノズル部材１４ａ，１４ｂは、前後方向に延びるスリット状の液吐出口を有しており、この液吐出口からスラリを吐出することによりワイヤ群１２の前後方向全体（切断用ワイヤ１１の配列方向全体）に亘ってスラリを供給するようになっている。
【００２３】
また、ワークＷの走行方向における前記作業領域Ｅの中心位置と各ノズル部材１４ａ，１４ｂとの間には、ワイヤ群１２による切断中にワークＷから飛散したスラリを捕集するための一対の捕集部材１６ａ，１６ｂと、これらの捕集部材１６ａ，１６ｂを支持しかつワイヤ群１２の走行方向と平行な方向（図１の左右方向；以下、単に左右方向という）に変位させるための駆動機構（加工液捕集装置の支持手段及び駆動手段に相当する）とが設けられている。
【００２４】
これらの捕集部材１６ａ，１６ｂは、ワイヤ群１２の上方であってその近傍となる高さ位置にそれぞれ配置されている。
【００２５】
各捕集部材１６ａ，１６ｂは、ワイヤ群１２による切断中にワークＷから飛散したスラリを捕集可能な例えば樋型の形状を有しており、ワイヤ群１２を前後方向に横断するように設けられている。各捕集部材１６ａ，１６の内底部はその後側から前側に向かって先下がりの勾配を有しており、また、各捕集部材１６ａ，１６ｂの前端部は捕集したスラリを放流できるように開放されている。つまり、各捕集部材１６ａ，１６ｂは、飛散したスラリを捕集しながらその内底部に沿って前方に流動させ、各捕集部材１６ａ，１６ｂの前端部から図外の回収部内に流下させるように構成されている。
【００２６】
各捕集部材１６ａ，１６ｂは、それぞれブラケット２０を介してワイヤソーの図外のコラムに支持されている。詳しくは、各捕集部材１６ａ，１６ｂは、それぞれ一対のガイド軸２２を介して左右方向に変位可能な状態で前記ブラケット２０に支持されている。各ブラケット２０には、例えば単動式シリンダからなる油圧シリンダ２４がそれぞれ固定されており、捕集部材１６ａ，１６ｂがこれら油圧シリンダ２４のピストンロッド２４ａにそれぞれ連結されている。この構成により各捕集部材１６ａ，１６ｂが油圧シリンダ２４の駆動によって作業領域中間の近傍位置と当該作業領域Ｅの外側であってノズル部材１４ａ，１４ｂの近傍位置とに亘って左右方向に変位可能となっている。つまり、上記ブラケット２０、ガイド軸２２及び油圧シリンダ２４等により上記駆動機構が構成されている。
【００２７】
さらに、前記ワイヤ群１２の上方位置にはワーク送り装置が配置されている。
【００２８】
このワーク送り装置（送り手段）は、前記コラムに対して昇降可能に支持されるワーク保持部材３２とこのワーク保持部材３２を昇降駆動する駆動機構等とを含み、前記ワーク保持部材３２により保持したワークＷを前記ワイヤ群１２に対してその上側から切り込み送りするように構成されている。
【００２９】
ワーク保持部材３２の駆動機構は、詳細図を省略するが、所謂ねじ送り機構からなり、サーボモータ３０の駆動によりワーク保持部材３２を昇降駆動するように構成されている。
【００３０】
なお、このワイヤソーには、ワークＷの切断動作を統括的に制御するＮＣ装置４０が設けられており、ワークＷの切り出し時（切断作業時）には、ワークＷを所定の送り速度で切り込み送りすべく前記サーボモータ３０がこのＮＣ装置４０により制御されると共に、ワークＷの切り込み送りの位置にかかわらず、ワイヤ走行方向におけるワークＷよりも上流側の位置であって当該ワークＷに近接する所定位置に各捕集部材１６ａ，１６ｂを配置すべく前記油圧シリンダ２４がこのＮＣ装置４０により駆動制御される。具体的には、図外の記憶手段に記憶されたワークＷの断面形状に関するデータとサーボモータ３０に組み込まれた位置検出手段（エンコーダ等）から出力される位置データ等とに基づき、ワークＷに近接する位置であって当該ワークＷと各捕集部材１６ａ，１６ｂとの間に一定の間隔が保たれるように前記油圧シリンダ２４に対する圧油供給通路に設けられる流量制御バルブ２６がＮＣ装置４０により制御される。
【００３１】
次に、ＮＣ装置４０の制御に基づくワイヤソーの動作についてその作用と共に説明する。
【００３２】
まず、図１に示すような状態で、ガイドローラ１０Ａ（又は１０Ｂ）が回転駆動され、これによりワークＷが高速駆動される。ここでは、同図中に矢印で示すようにガイドローラ１０Ａ（又は１０Ｂ）は反時計回りに駆動され、従って、ワイヤ群１２は作業領域Ｅにおいて右方（ガイドローラ１０Ａ側）から左方（ガイドローラ１０Ｂ側）に高速駆動されるものとする。
【００３３】
ワイヤ群１２の駆動後、ワイヤ走行方向上流側に位置するノズル部材１４ａからワイヤ群１２へのスラリの供給が開始され、さらにこの状態で、前記サーボモータ３０が駆動されることにより、ワイヤ群１２上方の所定の送り開始位置からワークＷがワーク保持部材３２と一体に下降を開始する。この際、同図に示すように各捕集部材１６ａ，１６ｂはワークＷの略下方位置に配置されている。
【００３４】
ワークＷの送りが進むと、図３の（ａ）に示すように、油圧シリンダ２４の駆動により各捕集部材１６ａ，１６ｂがそれぞれワークＷ（作業領域Ｅ）の両外側に移動し、ワイヤ群１２に対してその上側からワークＷが押し付けられる。これによりワークＷの切断が開始される。この際、各捕集部材１６ａ，１６ｂは、同図の（ａ）に示すようにワークＷに近接する所定配置、つまり、ワークＷとの間に上記一定の間隔を隔てた位置に配置される。従って、ワイヤ群１２による切断中にワークＷから飛散したスラリ、例えばワイヤ群１２と共に運ばれてワークＷに沿って舞い上がったスラリは、図中破線矢印で示すように、ワイヤ群１２の走行方向上流側に位置する捕集部材１６ａにより捕集されることとなり、これによって当該飛散したスラリがワークＷやワイヤ群１２に再度供給されることが防止される。なお、捕集されたスラリは上記の通り捕集部材１６ａの前端部に流動し、ここから図外の回収部内に流下し回収されることとなる。
【００３５】
ワークＷの切り込み送りが進むと、各捕集部材１６ａ，１６ｂはさらに作業領域Ｅの外側に向かって移動する。そして、図３の（ｂ）に示すように、切り込み位置がワークＷの中心位置を超えると、同図中矢印で示すように、各捕集部材１６ａ，１６ｂの移動方向が反転され、その後、各捕集部材１６ａ，１６ｂは、ワークＷの切り込み送りが進むに伴い作業領域Ｅの内側に向かって移動する。このように各捕集部材１６ａ，１６ｂがワークＷとの間に一定の間隔を保つように移動することにより、ワークＷの切り込み送りの位置にかかわらず上記のようなスラリの捕集効果が発揮される。
【００３６】
そして、同図中の（ｃ）に示すように、切り込み送りの終期には、上記一定間隔を保った状態で各捕集部材１６ａ，１６ｂがワークＷに近接した位置に配置される結果、ワイヤ群１２、ワーク保持部２２及びワークＷにより囲まれた空間内に捕集部材１６ａ，１６ｂが配置される。従って、ワイヤ群１２と共に運ばれて上記空間内で舞い上がったスラリは、図中破線矢印で示すように、捕集部材１６ａにより捕集されることとなる。
【００３７】
上記の例は、作業領域Ｅにおいてガイドローラ１０Ａ側からガイドローラ１０Ｂ側にワークＷが駆動される場合であるが、これとは逆に、ガイドローラ１０Ｂ側からガイドローラ１０Ａ側にワークＷが走行し、かつ上流側に位置するノズル部材１４ｂからスラリが供給される場合も、上記の通り各捕集部材１６ａ，１６ｂが上記一定間隔を保った状態でワークＷに近接した位置に配置されていることにより、ワークＷから飛散したスラリは、同様に、ワイヤ群１２の走行方向上流側に位置する捕集部材１６ｂによって良好に捕集されることとなる。
【００３８】
以上のように、このワイヤソーによれば、ワイヤ群１２に対するワークＷの切り込み送りの位置にかかわらず、ワークＷの側面に沿って舞い上がったスラリを捕集することができるので、飛散したスラリがワイヤ群１２やワークＷに再度供給されるという不都合を切断作業の全工程に亘って良好に阻止することができる。特に、このワイヤソーでは、上下方向に幅が変化する円柱状のワークＷを切断しながらも、上記のようにワークＷとの間に常に一定の間隔が保たれるように各捕集部材１６ａ，１６ｂの位置が制御されるので、切断作業の全工程に亘って上記のようなスラリ捕集効果を良好に享受することができる。
【００３９】
従って、切り込み送りの主に終期にだけスラリの捕集効果を得ることができる従来のワイヤソーと比較すると、ワークＷの切り出しをより高精度に行うことが可能となる。
【００４０】
ところで、上述したワイヤソーは、本発明に係るワイヤソー（本発明に係る加工液捕集装置が組み込まれたワイヤソー）の好ましい実施形態の一例であって、その具体的な構成は本発明の要旨を逸脱しない範囲で適宜変更可能である。
【００４１】
例えば、上述したワイヤソーでは、各捕集部材１６ａ，１６ｂをガイド軸２２により変位可能に支持した上で前記油圧シリンダ２４によって各捕集部材１６ａ，１６ｂを駆動するように各捕集部材１６ａ，１６ｂの駆動機構が構成されているが、当該駆動機構は実施形態の構成に限定されるものではなく、例えばモータを駆動源とするねじ送り機構やラック・ピニオンによる送り機構等、実施形態以外の駆動機構を適用してもよい。
【００４２】
また、上記実施形態では、各捕集部材１６ａ，１６ｂを油圧シリンダ２４によって個別に駆動する構成となっているが、上記半導体インゴットのように断面形状が左右対称（ワイヤ走行方向におけるワーク中心を通りかつワイヤ軸方向と直交する線分に対して対称）なワークＷでは、各捕集部材１６ａ，１６ｂをワークＷに対して左右対称に配置すればよいので、共通の駆動源で両捕集部材１６ａ，１６ｂが連動して互いに逆方向に変位するように上記駆動機構を構成するようにしてもよい。この構成によれば、簡単な構成および制御に基づいて各捕集部材１６ａ，１６ｂを駆動することが可能となる。
【００４３】
また、上述したワイヤソーでは、切断作業の全工程に亘ってワークＷとの間に常に一定の間隔を隔てた位置に捕集部材１６ａ，１６ｂが配置されるようにしているが、勿論、ワークＷの切り込み送りの位置に応じてワークＷと各捕集部材１６ａ，１６ｂとの間隔を変動させるようにしてもよい。例えば、ワークＷの断面形状と切り込み送りの位置との関係で、切り込み送りの位置のうちワークＷの近傍にスラリが飛散し易いような位置ではワークＷに対して捕集部材１６ａ，１６ｂを近接して配置し、逆に、切り込み送りの位置のうちワークＷから離間した位置にスラリが飛散し易いような位置ではワークＷに対して捕集部材１６ａ，１６ｂを離して配置するようにしてもよい。
【００４４】
また、実施形態では、各捕集部材１６ａ，１６ｂの内底部に勾配を設けることにより捕集したスラリを前後方向に流動させながらその前端部が回収部内に流下させるようにしているが、捕集部材１６ａ，１６ｂの具体的な構成はこれに限定されず、ワイヤ群１２による切断中にワークＷから飛散したスラリを捕集できる形状であればよい。
【図面の簡単な説明】
【００４５】
【図１】本発明にかかるワイヤソー（本発明にかかる加工液捕集装置が組み込まれたワイヤソー）を示す正面概略図である。
【図２】ワイヤソー（主に加工液捕集装置にかかる部分）を示す平面概略図である。
【図３】ワイヤ群に対するワークの切り込み送りの位置と捕集部材の配置との関係を示すワイヤソーの正面模式図である。
【符号の説明】
【００４６】
１０Ａ，１０Ｂ  ガイドローラ
１１  切断用ワイヤ
１２  ワイヤ群
１４ａ，１４ｂ  ノズル部材
１６ａ，１６ｂ  捕集部材
３２  ワーク保持部材
４０  ＮＣ装置
Ｗ  ワーク
【図１】
2010058228.tif 000003
【図２】
2010058228.tif 000004
【図３】
2010058228.tif 000005